(57)【要約】【課題】  電子機器と外部機器とを接続するケーブルの引き出し口から電子機器の内部に水が侵入することを抑制できる電子機器を提供することを目的としている。【解決手段】  本実施形態における監視カメラ１は、外部機器と接続されるケーブル１０２が挿通可能な第１開口部１１０ｃを有する筐体１１０と、筺体１１０内に設けられ、ケーブル１０２が挿通可能な第２開口部１２０を有する第１部材１１３と、第１部材１１３とケーブル１０２との間を封止するように配置される封止部材１０３と、封止部材１０３と第１開口部１１０ｃの間に設けられ、第１開口部１１０ｃから封止部材１０３を見たときに封止部材１０３と重なる壁１０４、１０５と、を備えている。【選択図】  図２
2018146688.tif 000002
【特許請求の範囲】
【請求項１】
第１開口部を有する筐体と、
前記第１開口部から挿通可能であり、外部機器と接続されるケーブルと、
前記筐体の内部に設けられ、前記ケーブルが挿通可能な第２開口部を有する第１部材と、
前記第１部材と前記ケーブルとの間を封止するように配置される封止部材と、
前記封止部材と前記第１開口部との間に設けられ、前記第１開口部から前記封止部材を見たときに前記封止部材と重なる壁と、を備える電子機器。
【請求項２】
前記壁は、第１壁と、前記第１壁および前記第１開口部との間に設けられる第２壁により構成される、請求項１に記載の電子機器。
【請求項３】
前記筺体は、前記第１壁が設けられる底壁と、前記底壁から延び、前記第１開口部が形成される側壁と、を有し、
前記ケーブルは、前記第１壁の端部および前記第１開口部の端部によって支持される、請求項２に記載の電子機器。
【請求項４】
前記第２壁は、前記ケーブルを挿通させるために切り欠かれた切欠部を有し、
前記ケーブルは、前記切欠部に挿通されるとともに、前記第１壁の端部および前記第２壁の端部によって挟持される、請求項３に記載の電子機器。
【請求項５】
前記第２壁は、前記底壁から延びる第１部分と、前記第１部分から前記第１部分の延びる方向と直交する方向に延びる第２部分と、を有し、
前記底壁から前記第１壁の端部までの高さと前記底壁から前記第２部分の端部までの高さの差は、前記ケーブルの径より小さい、請求項４に記載の電子機器。
【請求項６】
前記封止部材は、前記ケーブルが挿通される貫通孔を有し、
前記第１壁は、前記貫通孔の貫通方向と、前記貫通孔の出口における前記ケーブルの延びる方向が一致するように前記ケーブルを支持する、請求項２乃至請求項５のいずれか１項に記載の電子機器。
【請求項７】
前記第１開口部を塞ぐカバーを備える、請求項１乃至６のいずれか１項に記載の電子機器。
【請求項８】
前記筺体は、前記筐体の内部の水を排出するための排出孔を有する、請求項１乃至７のいずれか１項に記載の電子機器。
【発明の詳細な説明】
【技術分野】
【０００１】
本発明は、屋外に設置して使用される監視カメラ等の電子機器の防水構造に関するものである。
【背景技術】
【０００２】
屋外で使用されるネットワーク監視カメラは、雨などでカメラが壊れないようにカメラと外部機器との接続部に防水性が求められている。
【０００３】
従来、特許文献１のように、カメラと外部機器とを接続するケーブルの引き出し口にガスケットを配置することで、ケーブルの引き出し口から水が侵入することを抑制する構造が知られている。
【先行技術文献】
【特許文献】
【０００４】
【特許文献１】特開２００４―２９４６１２号公報
【発明の概要】
【発明が解決しようとする課題】
【０００５】
しかしながら、上記の特許文献１に開示された従来技術では、ケーブルの引き出し口のガスケットが外部に露出しているため、ガスケットに直接水流が到達し、水がカメラの内部に侵入しやすいという問題があり、種々の対策が望まれていた。
【０００６】
そこで、本発明は、監視カメラなどの電子機器と外部機器とを接続するケーブルの引き出し口から電子機器の内部に水が侵入することを抑制できる電子機器を提供することを目的としている。
【課題を解決するための手段】
【０００７】
上記目的を達成するために、本発明の電子機器は、外部機器と接続されるケーブルが挿通可能な第１開口部を有する筐体と、前記筐体の内部に設けられ、前記ケーブルが挿通可能な第２開口部を有する第１部材と、前記第１部材と前記ケーブルとの間を封止するように配置される封止部材と、前記封止部材と前記第１開口部との間に設けられ、前記第１開口部から前記封止部材を見たときに前記封止部材と重なる壁と、を備える。
【発明の効果】
【０００８】
本発明の電子機器は、電子機器と外部機器とを接続するケーブルの引き出し口から電子機器の内部に水が侵入することを抑制できる。
【図面の簡単な説明】
【０００９】
【図１】第１実施形態における監視カメラの斜視図である。
【図２】第１実施形態における筺体の内部を示す図である。
【図３】第１実施形態における筺体の断面図である。
【図４】第１実施形態における設置面に平行な方向から第１開口部を見た図である。
【図５】第１実施形態におけるケーブルが配設された状態における断面図である。
【図６】第２実施形態におけるケーブルが配設された状態における断面図である。
【図７】第２実施形態におけるカバーを取り付けた状態を示す図である。
【図８】変形例における水抜くための貫通孔を示す図である。
【発明を実施するための形態】
【００１０】
＜第１実施形態＞
以下に、図面を参照して、本発明の実施形態の一例を説明する。
【００１１】
図１は、本実施形態における電子機器としての監視カメラ１の斜視図であり、図２は、本実施形態における筺体１１０の内部を示す図である。
【００１２】
本実施形態の監視カメラ１は、図１に示すように、本体部１００及び取付部１０１から構成されている。
【００１３】
本体部１００は、ボックス形状であり、内部に撮像ユニットが配置されている。
【００１４】
取付部１０１は、監視カメラ１を天井などに取り付ける部分であり、円筒状の筺体１１０と、ケーブル１０２と、第１部材１１３と、封止部材１０３と、第１壁１０５と、第２壁１０４と、を備えている。
【００１５】
筺体１１０は、底壁１１０ａと、筒状の側壁１１０ｂと、を有する。
【００１６】
底壁１１０ａは、円状であり、第１壁１０５および第２壁１０４が配置されている。
【００１７】
側壁１１０ｂは、底壁１１０ａから延び、監視カメラ１と図示しない外部機器とを接続するケーブル１０２を筺体１１０の外部に引き出すための第１開口部１１０ｃと、取付部１１０ｄと、を有している。
【００１８】
第１開口部１１０ｃは、側壁１１０ｂの一部が切り欠かれて形成されている。
【００１９】
取付部１１０ｄは、側壁１１０ｂの端部であり、設置面Ｓに対して取り付けられる部分である。
【００２０】
ケーブル１０２は、ＬＡＮケーブルであり、第１開口部１１０ｃ、第２開口部１２０を通し、ケーブル１０２のコネクタを監視カメラ１の内のコネクタに接続する。そうすることにより、監視カメラ１と外部機器とを電気的に接続する。なお、ケーブル１０２は、ＲＪ４５ケーブルに限られず、音声ケーブル、電源ケーブル、ＧＮＤケーブル、ＩＯケーブル等であってもよい。
【００２１】
第１部材１１３は、筺体１１０の内部に配置される図示しないプリント基盤１４０を覆う部材であり、ケーブル１０２が挿通可能であり、ケーブル１０２の引き出し口である第２開口部１２０を有する。第１部材１１３は、ケーブル１０２のコネクタと監視カメラ１の内のコネクタ１４２とが接続された状態で、筐体１１０内に固定される。
【００２２】
封止部材１０３は、第２開口部１２０からプリント基盤１４０が配置された空間Ａに水が浸入するのを抑制するガスケットであり、第１部材１１３とケーブル１０２との間を封止するように配置される。また、封止部材１０３は、ケーブル１０２が挿通される貫通孔１２１を有する。封止部材１０３は、第１部材１１３と係合する溝部１０３ａを有している。
【００２３】
第１壁１０５は、第２開口部１２０から監視カメラ１の内部の空間Ａに水が浸入するのを抑制する部材であり、第１開口部１１０ｃと封止部材１０３の間に配置されている。また、第１壁１０５は、底壁１１０ａから延び、矩形状である。また、第１壁１０５は、第１開口部１１０ｃ側から封止部材１０３側を見たときに封止部材１０３と重なる。
【００２４】
第２壁１０４は、第２開口部１２０から監視カメラ１の内部の空間Ａに水が浸入するのを抑制する部材であり、第１壁１０５と第１開口部１１０ｃとの間に配置されている。また、第２壁１０４は、Ｔ字状であり、底壁１１０ａから延びる第１部分１０４ａと、第１部分１０４ａから第１部分１０４ａの延びる方向と直交する方向に延びる第２部分１０４ｂと、底壁１１０ａ側が切り欠かれた切欠部１０４ｃと、を有する。また、第２壁１０４は、第１開口部１１０ｃ側から封止部材１０３側を見たときに封止部材１０３と重なる。
【００２５】
次に、図３および図４を用いて、側壁１１０ｂ、第１壁１０５、第２壁１０４、封止部材１０３の位置関係について説明する。図３は、側壁１１０ｂ、第１壁１０５、第２壁１０４、封止部材１０３の位置関係を示すために、封止部材１０３の中央で切断した断面図である。図４は、設置面Ｓに平行な方向から第１開口部１１０ｃを見た図である。
【００２６】
図３に示すように、第１開口部１１０ｃが形成された側壁１１０ｂから第２壁１０４、第１壁１０５、封止部材１０３の順で配置されている。また、図３に示すように、底壁１０ａから第１壁１０５の端部１０５ａまでの高さＨ１は、側壁１１０ｂのうち第１開口部１１０ｃが形成された部分の高さＨ２とほぼ同じである。また、図３および図４に示すように、第２壁１０４の第２部分１０４ｂの高さＨ３は、第１開口部１１０ｃの高さＨ４とほぼ同じ高さである。
【００２７】
次に、図５を用いて、ケーブル１０２と、側壁１１０ｂ、第１壁１０５、第２壁１０４封止部材１０３の位置関係について説明する。図５は、ケーブル１０２が配設された状態における断面図である。
【００２８】
図５に示すように、底壁１１０ａから第２壁１０４の端部１０４ｄまでの高さＨ５と底壁１１０ａから第１壁１０５の端部１０５ａまでの高さＨ１の差ΔＨは、ケーブル１０２の直径Ｄより小さくなるように形成されている。
【００２９】
これにより、ケーブル１０２が配設されると、ケーブル１０２は、第１壁１０５の上端部１０５ａ、第２壁１０４の端部１０４ｄおよび側壁１１０ｂのうち第１開口部１１０ｃが形成された部分の上端部１１０ｅの間で挟持される。
【００３０】
また、封止部材１０３から引き出されたケーブル１０２は、第１壁１０５の上端部１０５ａによって支持されている。具体的には、第１壁１０５は、図５に示すように、貫通孔１２１の貫通方向Ｂと、貫通孔１２１の出口におけるケーブル１０２の延びる方向が一致するようにケーブル１０２を支持している。
【００３１】
このような構成によれば、監視カメラ１は、第１開口部１１０ｃから封止部材１０３を見たときに封止部材１０３と重なる壁１０４、１０５を有しているので、第１開口部１１０ｃから筐体１１０の内部に侵入した水は、壁１０４、１０５に衝突する。よって、ケーブル１０２の引き出し口である第２開口部１２０から監視カメラ１の内部のプリント基盤１４０が配置された空間Ａに水が侵入することを抑制できる。
【００３２】
また、第１壁１０５および第２壁１０４の２つの壁があるため、壁が１つの場合よりも、ケーブル１０２の引き出し口である第２開口部１２０から監視カメラ１の内部のプリント基盤１４０が配置された空間Ａに水が侵入することを抑制できる。
【００３３】
また、ケーブル１０２は、第１壁１０５の端部１０５ａおよび側壁１１０ｂの端部１１０ｅによって支持されているので、１つの部材で支持されている場合と比較すると、安定した状態を保つことができる。
【００３４】
また、ケーブル１０２は、第１壁１０５の端部１０５ａおよび第２壁１０４の端部１０４ｄによって挟持されているので、ケーブルが動くことを抑制できる。
【００３５】
また、底壁１１０ａから第１壁１０５の端部１０５ａまでの高さＨ１と底壁１１０ａから第２部分１０４ｂの端部１０４ｄまでの高さＨ５の差は、ケーブル１０２の径より小さい。よって、第１壁１０５と第２壁１０４の間を通過してケーブル１０２の引き出し口である第２開口部１２０から監視カメラ１の内部のプリント基盤１４０が配置された空間Ａに水が侵入することをより抑制できる。
【００３６】
また、第１壁１０５は、貫通孔１２１の貫通方向Ｂと、貫通孔１２１の出口におけるケーブル１０２の延びる方向が一致するようにケーブル１０２を支持している。よって、封止部材１０２が変形して封止部材１０３とケーブル１０２の間から監視カメラ１の内部のプリント基盤１４０が配置された空間Ａに水が侵入することをより抑制できる。
【００３７】
＜第２実施形態＞
図６、７を用いて、第２実施形態について説明する。図６は、第２実施形態におけるケーブルが配設された状態における断面図である。図７は、第２実施形態におけるカバーを取り付けた状態を示す図である。第２実施形態の監視カメラは、天井側からケーブル１０２を引き出すように構成されている点およびカバー２０１ｄが設けられた点以外は、第１実施形態と同様の構成である。
【００３８】
第２実施形態における監視カメラは、図６に示すように、天井側からケーブル１０２を引き出すように構成されている。
【００３９】
監視カメラ１は、第１開口部１１０ｃを塞ぐカバー２０１ｄを有している。カバー２０１ｄは、矩形状であり、３カ所の支持部２０１ｅを介して、筐体１１０と連結されている。
【００４０】
本実施形態においては、図６に示すように、カバー２０１ｄが第１開口部１１０ｃを塞いでいるため、第２開口部１２０から監視カメラ１の内部のプリント基盤１４０が配置された空間Ａに水が侵入することをより抑制できる。
【００４１】
＜変形例＞
筐体１１０の底壁１１０ａは、図８に示すように、筺体１１０の内部の水を排出するための排出孔２０７を有していても良い。このような構成によれば、筐体１１０の内部に侵入した水は、排出孔２０７を通して外部に放出されるため、筐体１１０の内部に水が留まることを抑制することができる。
【００４２】
以上、本発明を好適な実施形態に基づいて記述してきたが、本発明はこれら特定の実施形態に限られるものではなく、この発明の要旨を逸しない範囲の様々な形態も本発明に含まれる。例えば、本実施形態においては、監視カメラとしてボックスタイプを示したが、ドームタイプでもよい。
【符号の説明】
【００４３】
１  監視カメラ
１０２  ケーブル
１０３  封止部材
１０４  第２壁
１０５  第１壁
１１０  筐体
１１０ｃ  第１開口部
１１３  第１部材
１２０  第２開口部
【図１】
2018146688.tif 000003
【図２】
2018146688.tif 000004
【図３】
2018146688.tif 000005
【図４】
2018146688.tif 000006
【図５】
2018146688.tif 000007
【図６】
2018146688.tif 000008
【図７】
2018146688.tif 000009
【図８】
2018146688.tif 000010